(57)【要約】【課題】背景音をユーザの入力音声（ボイス）に重畳させた音声メールを作成する。【解決手段】放送局側からの要求を示すリクエスト情報を含むデジタル放送を受信する受信手段１と、リクエスト情報をユーザに提示する提示手段７と、ユーザの入力を受け付ける入力操作手段５と、ユーザの音声入力を受け付ける音声入力手段２と、入力された音声を記憶する音声記憶手段３と、背景音を取得して記憶する背景音取得手段９と、ユーザがリクエスト情報に対して入力した入力情報に基づいて背景音を決定する制御手段６と、決定された背景音をユーザの音声に重畳させて音声メールを作成する音声メール作成手段４と、作成された音声メールを所定の送信先へ送信する送信手段８とを有する。【選択図】  図２
2007288507.tif 000002
【特許請求の範囲】
【請求項１】
放送局から配信されたデジタル放送信号、デジタル放送に含まれた放送局側からの要求を示すリクエスト情報を受信する受信手段と、
前記受信手段により受信されたリクエスト情報をユーザに提示する提示手段と、
ユーザの入力を受け付ける入力操作手段と、
ユーザの音声入力を受け付ける音声入力手段と、
前記音声入力手段が受け付けた音声を少なくとも一時的に記憶する音声記憶手段と、
1又は２以上の背景音を取得して記憶する背景音取得手段と、
前記提示手段により提示されたリクエスト情報に対して、前記ユーザが前記入力操作手段に入力した入力情報に基づいて、前記背景音取得手段に記憶された背景音の中から前記ユーザの音声に重畳させる背景音を決定する制御手段と、
前記制御手段により決定された背景音を前記音声記憶手段に記憶されたユーザの音声に重畳させて音声メールを作成する音声メール作成手段と、
前記音声メール作成手段により作成された音声メールを所定の送信先へ送信する送信手段と、を有するデジタル放送受信装置。
【請求項２】
前記背景音取得手段は、前記背景音を、前記受信手段を介して外部から取得して記憶する請求項１に記載のデジタル放送受信装置。
【請求項３】
前記制御手段は、前記提示手段が提示するリクエスト情報に対して入力されるユーザ側の入力情報と前記背景音を予め対応づけた対応情報とを参照して、前記ユーザが前記入力操作手段に入力した入力情報に基づいて、前記背景音取得手段に記憶された背景音の中から前記ユーザの音声に重畳させる背景音を決定する請求項１又は２に記載のデジタル放送受信装置。
【請求項４】
前記音声メール作成手段は、前記決定された背景音の再生時間が前記録音された音声の再生時間よりも短い場合、前記背景音の再生時間が前記録音された音声の再生時間と略等しくなるように背景音を繰り返して編集し、編集した背景音を前記音声に重畳させる請求項１〜３のいずれかに記載のデジタル放送受信装置。
【請求項５】
前記音声メール作成手段は、前記録音された音声の再生終了のタイミングで前記背景音の音量が徐々に減衰するように当該背景音を編集し、編集した背景音を前記音声に重畳させる請求項１〜４のいずれかに記載のデジタル放送受信装置。
【請求項６】
前記デジタル放送受信装置は、車両に搭載されていることを特徴とする請求項１〜５のいずれかに記載のラジオ受信装置。
【請求項７】
放送局から配信されたデジタル放送信号、デジタル放送に含まれた放送局側からの要求を示すリクエスト情報を受信するステップと、
前記受信したリクエスト情報をユーザに提示するステップと、
前記ユーザの入力を受け付けるステップ、
前記ユーザの音声入力を受け付けるステップと、
前記受け付けたユーザの音声を少なくとも一時的に記憶するステップと、
1又は２以上の背景音を取得して記憶するステップと、
前記提示されたリクエスト情報に対して、前記ユーザが入力した入力情報に基づいて、前記記憶された背景音の中から前記ユーザの音声に重畳させる背景音を決定するステップと、
前記決定された背景音を前記記憶されたユーザの音声に重畳させて音声メールを作成するステップと、
前記作成された音声メールを所定の送信先へ送信するステップと、を有するデジタル放送受信方法。
【請求項８】
前記背景音を取得するステップは、通信網を介して外部から取得して記憶する請求項７に記載のデジタル放送受信方法。
【請求項９】
前記背景音を決定するステップは、前記ユーザに提示されたリクエスト情報に対して入力されるユーザ側の入力情報と前記背景音を予め対応づけた対応情報とを参照して、前記ユーザが入力した入力情報に基づいて、前記記憶された背景音の中から前記ユーザの音声に重畳させる背景音を決定する請求項７又は８に記載のデジタル放送受信方法。
【請求項１０】
前記音声メールを作成するステップは、前記決定された背景音の再生時間が前記録音された音声の再生時間よりも短い場合、前記背景音の再生時間が前記録音された音声の再生時間と略等しくなるように背景音を繰り返して編集し、編集した背景音を前記音声に重畳させる請求項７〜９のいずれかに記載のデジタル放送受信方法。
【請求項１１】
前記音声メールを作成するステップは、前記録音された音声の再生終了のタイミングで前記背景音の音量が徐々に減衰するように当該背景音を編集し、編集した背景音を前記音声に重畳させる請求項７〜１０のいずれかに記載のデジタル放送受信方法。
【請求項１２】
放送局側からの要求をユーザ側に提示するリクエスト情報を含むデジタル放送を配信する配信手段と、
提示されたリクエスト情報に対するユーザからの入力情報、およびユーザが入力した音声を取得する入力情報取得手段と、
前記入力情報取得手段が受け付けた音声を少なくとも一時的に記憶する音声記憶手段と、
1又は２以上の背景音を取得して記憶する背景音取得手段と、
前記提示されたリクエスト情報に対して、前記ユーザから入力された入力情報に基づいて、前記背景音取得手段に記憶された背景音の中から前記ユーザの音声に重畳させる背景音を決定する背景音決定手段と、
前記背景音決定手段により決定された背景音を前記音声記憶手段に記憶されたユーザの音声に重畳させて音声メールを作成する音声メール作成手段と、を有するデジタル放送配信用サーバ。
【発明の詳細な説明】
【技術分野】
【０００１】
本発明は、デジタル放送を受信するデジタル放送受信装置及びデジタル放送受信方法、並びにデジタル放送を配信するデジタル放送配信用サーバに関し、特に、放送局側が提示したアンケートなどのリクエスト情報に対する応答内容に応じて、異なる背景音を音声に重畳させた音声メールを作成するデジタル放送受信装置及び受信方法、放送配信用サーバに関する。
【背景技術】
【０００２】
アナウンス音声とバックグラウンド・ミュージック（ＢＧＭ）を重畳させた情報案内メッセージによる音声案内サービスが知られている（特許文献１参照）
しかしながら、特許文献１に記載された音声メッセージ重畳方式は、ｎ個の音源ボックスに記憶されたｎ個の音源から選択した音源を重畳させるため、予め決まったＢＧＭの中から重畳させるＢＧＭを選択しなければならず、音声メール作成の自由度が狭くなり、面白味のないものとなってしまうという問題があった。さらに、ＢＧＭを重畳させた音声メッセージを放送番組に投稿又は投票する場合、投稿や投票の受け付けは限られた時間帯に行なわれるので、適切なタイミングでＢＧＭを選択し、重畳処理を行い、送信することは困難であるという問題があった。運転中の場合などのように手を自由に使えない場合は、適切なタイミングでＢＧＭを選択し、重畳処理を行い、送信することは、特に難しいという問題があった。
【特許文献１】特開平７−２１２４７５号公報
【発明の開示】
【０００３】
本発明はこのような問題を解決するために、複雑な操作を要求することなく、放送局側が提示するリクエスト情報に対するユーザの応答内容に応じて背景音を決定し、決定した背景音をユーザの音声に重畳させた音声メールを放送局側へ送信するデジタル放送受信装置及びデジタル放送受信方法並びにデジタル放送配信用サーバを提供することを目的とする。
【０００４】
この発明によれば、放送局から配信されたデジタル放送信号、デジタル放送に含まれた放送局側からの要求を示すリクエスト情報を受信し、受信したリクエスト情報をユーザに提示し、ユーザの入力を受け付け、ユーザの音声入力を受け付け、受け付けたユーザの音声を少なくとも一時的に記憶し、1又は２以上の背景音を取得して記憶し、提示されたリクエスト情報に対して、前記ユーザが入力した入力情報に基づいて、記憶された背景音の中からユーザの音声に重畳させる背景音を決定し、決定された背景音を記憶されたユーザの音声に重畳させて音声メールを作成し、作成された音声メールを所定の送信先へ送信するデジタル放送受信装置及びデジタル放送受信方法が提供される。また、この発明よれば、リクエスト情報を提示し、このリクエスト情報に対してユーザが入力した入力情報に基づいて、記憶された背景音の中からユーザの音声に重畳させる背景音を決定し、決定された背景音を記憶されたユーザの音声に重畳させて音声メールを作成するデジタル放送配信用サーバを提供することができる。
【０００５】
これにより、ユーザは、放送局側へ伝達する意思に応じた任意の背景音を自己の音声に重畳させた娯楽性の高い音声メールを容易に作成することができる。放送局側は、作成した音声メールを利用して娯楽性の高い放送番組をプロデュースすることができる。また、背景音をメッセージ音声に重畳させた音声メールを簡単な操作で作成して、放送局側へ送信することができる。例えば、運転中等であっても視聴中のラジオ番組等に背景音を音声に重畳させた個性的な音声メールで投稿又は投票などを行い、放送番組へ参加することができる。
【発明を実施するための最良の形態】
【０００６】
＜第１実施形態＞
以下、本発明の第１の実施形態を図面に基づいて説明する。本実施形態のデジタル放送受信装置１００は車両に搭載され、デジタルラジオ放送局２００からの放送を受信するとともに、デジタルラジオ放送局２００の放送番組のリクエストに応じて作成した音声メールを、デジタルラジオ放送局２００側の音声メール収集センター３００に向けて送信する。
【０００７】
図１は、本実施形態のデジタル放送受信装置１００と、デジタルラジオ放送局２００と、音声メール収集センター３００とを有するデジタルラジオ送受信システムの全体概要を示す図である。本実施形態のデジタル放送受信装置１００は、ユーザが参加型のデジタル放送番組に音声メールによって参加する場合に適したデジタル放送受信装置である。
【０００８】
本実施形態のデジタル放送受信装置１００は、デジタルラジオ放送局２００の配信放送を受信するデジタル放送受信機能と、音声メール収集センター３００へ音声メールを送信する通信機能とを有する。音声メール収集センター３００は、車載装置と無線通信を行なう通信機能と、ネットワークＮを介して音声メールをデジタルラジオ放送局２００に送信する通信機能とを有する。
【０００９】
本実施形態のデジタル放送受信装置１００は、デジタルラジオ放送局２００から送出設備を経由して放送されたデジタル放送波を受信する機能と、デジタル放送の音声その他のデータをユーザが視聴可能なように提示する機能とを備える。ユーザが放送局へ投稿するために作成した音声メールは車載のデジタル放送受信装置１００側で圧縮およびファイル化され、音声メール収集センター３００に送信される。デジタルラジオ放送局２００は、音声メール収集センター３００に収集された音声メールを取得し、これを番組のコンテンツとして利用する。例えば、取得した音声メールを番組で紹介し、または番組の進行に利用する。
【００１０】
図２は本実施形態のデジタル放送受信装置１００のブロック構成を示す。図２に示すように、本実施形態のデジタル放送受信装置１００は、受信手段１と、音声入力手段２と、音声記憶手段３と、音声メール作成手段４と、入力操作手段５と、制御手段６と、提示手段７と、送信手段８と、背景音取得手段９とを備える。
【００１１】
以下、デジタル放送受信装置１００の各構成について説明する。
【００１２】
受信手段１は、デジタル放送チューナー部１１とデジタル放送デコード部１２とを有し、デジタルラジオ放送局２００の放送を受信する。デジタル放送チューナー部１１は、アンテナに到達した各種放送信号の中から、所定の周波数成分を抽出し、受信対象となる周波数信号を抽出し、抽出したデジタル放送信号をデジタル放送デコード部１２へ送出する。デジタル放送デコード部１２は、デジタル放送チューナー部１１が抽出したデジタル放送信号に所定のデジタル復調処理を行い、音声信号とBML（Broadcast Markup Language）で記述されたデータとＡＩＦＦ（Audio Interchange File Format）,ＭＰ３（MPEG-1 Audio Layer3）などの背景音ファイルに分離し、音声信号は後述する提示手段７のスピーカ７１を介して出力される。
【００１３】
提示手段７はスピーカ７１とディスプレイ７２とを有する。スピーカ７１は、制御部６の制御に基づいて受信した放送情報を含む音声信号を出力する。ディスプレイ７２は、デジタル放送デコード部１２により分離されたBML（Broadcast Markup Language）で記述されたデータを表示する。このBML記述のデータは制御手段６が解読する。本実施形態では、アンケートへの回答を要求するBML記述のリクエストフォームがデジタル放送に含まれている場合、音声メールのリクエストフォームがディスプレイ７２に表示される。
【００１４】
入力操作手段５は、ユーザの入力操作指令を受け付ける。入力操作指令としては、録音開始、録音終了、アンケートへの回答及び返信などである。本実施形態の入力操作手段５は、提示手段７に提示されたアンケートへの回答を入力する操作を受け付ける。
【００１５】
背景音取得手段９は、デジタル放送デコード部１２によりデコードされた背景音を取得して記憶する。背景音は、バックグランドミュージック（ＢＧＭ）、効果音、擬似音その他の音のデータである。背景音取得手段９は、背景音を予め装置内のメモリに予め記憶してもよいし、受信手段１を介して外部から取得して記憶してもよい。外部から背景音を取得することにより、多様かつ新しい背景音を記憶しておくことができる。
【００１６】
音声入力手段２はマイク２１を備え、マイク２１を介してユーザの発話による音声の入力を受け付ける。
【００１７】
音声記憶手段３は、マイク２１から入力された音声を少なくとも一時的に録音する。
【００１８】
制御手段６は、図２に示した他の構成（手段）と情報の授受を行い、これら他の構成（手段）の動作を制御する。図３に本実施形態の制御手段６のブロック構成を示した。制御手段６は、操作制御部６１と、受信情報出力制御部６２と、音声記憶制御部６３と、背景音決定部６４と、提示制御部６６と、送信制御部６７とを有する。
【００１９】
操作制御部６１は、提示手段７が提示したリクエスト情報に対して、ユーザが入力操作手段５に入力した入力情報を受け付ける。操作制御部６１は、リクエスト情報がアンケート情報である場合、質問に対するイエス又はノーの回答、質問に対する選択肢の番号の回答を受け付ける。また、操作制御部６１は、入力操作手段５を介して入力されたユーザの指令に基づいて、音声記憶制御部６３へ音声の録音開始や録音終了を行う音声記憶制御指令を送出する。
【００２０】
受信情報出力制御部６２は、放送データ解析機能６２１、音声出力制御機能６２２、画像出力制御機能６２３を有する。放送データ解析機能６２１は、デジタル放送デコード部１２がデコードした音声信号の出力制御、BMLで記述されたデータの解析を行い、BMLの記述に従ってディスプレイ７２に表示させる。デジタル放送の解読方法は特に限定されないが、ARIB（Association of Radio Industries and Businesses：社団法人電波産業会）が示す標準化されたBML仕様に従うことが好ましい。デジタル放送に含まれるアンケート等のリクエストフォームはBMLで記述されているので、放送データ解析機能６２１は、記述されたリクエストフォーム（リクエスト情報）をディスプレイ７２に表示させる。音声出力制御機能６２２は放送データ解析機能６２１により解析された音声データをスピーカ７１から出力させ、画像出力制御機能６２３は放送データ解析機能６２１により解析された画像データをディスプレイ７２に出力させる。
【００２１】
ディスプレイ７２に表示されたアンケートへの回答を求めるリクエストフォームを見たユーザは、入力操作手段５を用いて、アンケートへの回答を入力する。また、ディスプレイ７２に音声メールの入力を求めるリクエストフォームを見たユーザは、録音開始指令または録音終了指令を入力する。
【００２２】
音声記憶制御部６３は、録音開始指令または録音終了指令を入力操作手段５及び操作制御部６１を介して取得し、音声記憶手段３における録音開始および録音終了を制御する。
【００２３】
背景音決定部６４は、提示手段７が提示したリクエスト情報に対してユーザが入力操作手段５に入力した入力情報に基づいて、背景音取得手段９に記憶された背景音の中からユーザの音声に重畳させる背景音を決定する。特に限定されないが、背景音決定部６４は、提示手段７が提示するリクエスト情報に対して入力されるユーザ側の入力情報と背景音とを予め対応づけた対応情報を参照して、ユーザが入力操作手段５に入力した入力情報に基づいて、背景音取得手段９に記憶された背景音の中からユーザの音声に重畳させる背景音を決定することが好ましい。
【００２４】
提示制御部６６は、受信手段１により受信された情報を提示手段７に提示させる。デジタル放送デコード部１２により分離されたBML（Broadcast Markup Language）で記述されたデータを解読し、アンケートへの回答を要求するBML記述のリクエストフォームをディスプレイ７２に表示させる。
【００２５】
送信制御部６７は、送信手段８に、音声メール作成手段４により作成され音声メールを音声メール収集センター３００に向けて送出させる制御を行う。音声メール収集センター３００のメール受信用のアドレス（URL）は、あらかじめ記憶しておいてもよいし、受信手段１が受信したリクエスト情報に予め含ませておいてもよい。送信制御部６７は、ラジオネーム保持部６７１を有する。ラジオネーム保持部６７１はアンケートへの回答、音声メールに付加するラジオネームを保持する。ラジオネームはユーザの識別情報である。ラジオネーム保持部６７１は、作成された音声メールにラジオネームを付加し、送信手段８に送出させる。
【００２６】
音声メール作成手段４は、制御手段６の背景音決定部６４により決定された背景音を音声記憶手段３に記憶されたユーザの音声に重畳させた音声メールを作成する。音声メール作成手段４の構成を図４に示した。本実施形態の音声メール作成手段４は、背景音取得部４１と、背景音編集部４２と、背景音重畳部４３と、圧縮部４４とを備える。
【００２７】
背景音取得部４１は、音声記憶手段３に記憶されたユーザの発話音声を取得する。背景音編集部４２は、背景音を編集する。本実施形態の背景音編集部４２は、背景音決定部６４により決定された背景音の再生時間が録音されたユーザの発話音声の再生時間よりも短い場合、背景音の再生時間が録音された音声の再生時間と略等しくなるように背景音を繰り返す編集を行う。これにより音声の途中で背景音が途切れたりすることを防止することができる。  また、背景音編集部４２は、録音された音声の再生終了のタイミングで背景音の音量が徐々に減衰するように当該背景音を編集する。これにより、音声の再生が背景音の途中で終了してしまう場合でも、違和感なく背景音と音声の両方を終了させることができる。
【００２８】
背景音重畳部４３は、背景音決定部６４が決定し、背景音取得部４１により取得された背景音又は背景音編集部４２により編集された背景音を、記憶されたユーザの音声に重畳させる。背景音重畳部４３は、決定された背景音と音声とをミキシングする。
【００２９】
圧縮部４４は、背景音重畳部４３により背景音と音声とが重畳された音声メールをＭＰ３等の圧縮技術を用いて圧縮する。圧縮方法は特に限定されずMP3のほか、WMA（Windows Media Audio）などの通常の圧縮手法を用いることができる。圧縮部４４は、圧縮した音声メールを圧縮音声蓄積手段１０へ送出する。圧縮音声蓄積手段１０は、少なくとも音声メールが送信手段８によって送信されるまで記憶する。
【００３０】
送信手段８は、音声メール作成手段４により作成された音声メールを音声メール収集センター３００に送信する。送信の手法は特に限定されず、携帯電話、無線LAN、DSRC（Dedicated Short Range Communications）などの無線通信機器を用いることができる。
【００３１】
図５に基づいて、本実施形態の制御手順を説明する。
【００３２】
デジタル放送チューナー部１１がデジタル放送波を受信すると、デジタルラジオデコード部１２は、受信したデジタル放送信号のデコードを開始する。デコードされた放送信号の中に、アンケートフォーム、音声メール要求フォームなどのリクエストフォーム、複数のＢＧＭ（背景音）、アンケートへの回答とＢＧＭとの対応情報が含まれている場合、これらをダウンロードして取得する（５０１）。背景音取得手段９は背景音（ＢＧＭ）ファイルを取得し、記憶する（５０２）。制御手段６の提示制御部６６は、取得したアンケートフォームを提示手段７のディスプレイ７２に提示させる（５０３）。ディスプレイ７２に提示されたアンケートフォーム（リクエストフォーム）を見たユーザは、アンケートに対して回答する。特に限定されないが、アンケートの提示例を図６に示した。まず、図６のＧ１に示すようなアンケートの内容（質問内容）と選択肢Ａ及びＢが画面に提示される。ユーザが選択肢A又はＢを選び、その結果を入力すると、G2のような画面が提示される。Ｇ２には、アンケートへの回答を放送局側へ送出するか否かをユーザに確認する。
【００３３】
ユーザがアンケートに回答し、アンケートへの回答を放送局側へ送信する旨の入力を行うと、送信制御部６７のラジオネーム保持部６７１は記憶されているユーザのラジオネームをアンケートの回答に付加し、音声メール収集センター３００へ送信する。このようにユーザがアンケートに回答すると（５０４でＹ）、制御手段６の背景音決定部６４は、ユーザが入力したアンケートに対する回答に基づいて、５０１で取得した背景音の中から１の背景音を決定する（５０５）。具体的に、背景音決定部６４は、５０１で受信したリクエスト情報中のアンケートの内容と背景音とを対応づけた対応情報を参照し、ユーザのアンケートに対する回答内容に応じた背景音を決定する。アンケートに対する回答内容と背景音との対応づけは特に限定されないが、アンケートに対する回答の選択肢のそれぞれに異なる背景音をそれぞれ割り当てても良いし、アンケートに対する回答の選択肢のすべてに同一の背景音を割り当ててもよい。
【００３４】
その後、制御手段６の提示制御部６６は、５０１で取得した音声メール要求フォームを提示手段７のディスプレイ７２に提示させる（５０６）。ディスプレイ７２に提示された音声メール要求フォーム（リクエストフォーム）を見たユーザは、音声メールを作成するために入力を行う（５０７）。特に限定されないが、音声メールの要求を提示した例を図７に示した。図７のＧ１に示すように、リクエストフォームには放送局側が音声メールを募集している旨が記述されている。リクエストフォームには、募集する音声メールの内容、選択肢を記述してもよい。この募集に応募する場合、ユーザは「送る」のボタンにタッチする。本実施形態のディスプレイ７２は、タッチパネル式の入力デバイスとして機能し、入力操作手段５を構成する。入力操作手段５（タッチパネル）に入力された「送る」の指令により、音声記憶制御部６３は音声の記憶処理を開始する。図７のＧ２に示すように、音声の記憶がなされている間、「録音中」である旨がディスプレイ７２に提示される。このように、本実施形態のデジタル放送受信装置１００は、放送局が配信するリクエスト情報を取得し、リクエストの有無、リクエストの内容を提示することができ、ユーザが容易にリクエスト情報に応じた音声メールを作成することができる。
【００３５】
ユーザが入力操作手段５から音声メールの入力指示を行うと（５０７でＹ）、音声記憶制御部６３は、音声記憶手段３に音声を録音させる（５０８）。ユーザが発話を終了し、入力操作部５から録音終了の指令を入力した場合（５０９でＹ）、または、録音開始から所定時間が経過した場合（５１０）、音声記憶制御部６３は、音声記憶手段３に録音終了を指示し、録音を終了させる（５１１）。502でダウンロードを開始した複数の背景音（ＢＧＭ）のファイル取得が終了していれば（５１２）、背景音重畳部４３は５０５で決定された背景音と５１１で録音終了したユーザの声とをミキシング（重畳）する（５１３）。圧縮部４４は作成された音声メールをMP3などの形式に圧縮する（５１４）。ラジオネーム保持部６７１は、圧縮された音声メールにラジオネームを付加する。ラジオネームが負荷された音声メールは送信制御部６７の制御に従い、送信手段８により音声メール収集センター３００に向けて送出される（５１５）。
【００３６】
デジタルラジオ放送局２００は、収集したボイスメールを番組内で紹介するなど、番組のコンテンツとして利用する。
【００３７】
第１実施形態のデジタル放送受信装置によれば、ユーザは、放送局側へ伝達する意思に応じた任意の背景音を自己の音声に重畳させた娯楽性の高い音声メールを容易に作成することができる。放送局側は、作成した音声メールを利用して娯楽性の高い放送番組をプロデュースすることができる。また、背景音をメッセージ音声に重畳させた音声メールを簡単に作成して放送局側へ送信することができる。例えば、運転中等であっても視聴中のラジオ番組等に背景音を音声に重畳させた個性的な音声メールで投稿又は投票などを行い、放送番組へ参加することができる。
【００３８】
＜第２実施形態＞
本実施形態は、背景音を音声に重畳した音声メールを放送局のサーバ側で作成する点が第１実施形態と異なる。本実施形態のデジタル放送受信装置１１０、デジタルラジオ放送局２００、音声メール収集センターは、図１に示したデジタル放送送受信システムを構成する。本実施形態のデジタル放送送受信システムは、第１実施形態と同様に、ユーザ参加型のデジタル放送番組に音声メールによって参加する場合に適したシステムである。
【００３９】
図８は本実施形態のデジタル放送受信装置１１０のブロック構成を示す。図８に示すように、本実施形態のデジタル放送受信装置１１０は、受信手段１と、音声入力手段２と、音声記憶手段３と、音声メール作成手段４と、入力操作手段５と、制御手段６と、提示手段７と、送信手段８とを備える。これら各手段の基本的な機能は、第１実施形態における各手段と共通する。ここでは重複した説明を避け、異なる点を中心に説明する。
【００４０】
制御手段６は、図８に示した他の構成（手段）と情報の授受を行い、これら他の構成（手段）の動作を制御する。第２実施形態の制御手段６の具体的な構成を図９に示した。図９に示すように、制御手段６は、操作制御部６１と、受信情報出力制御部６２と、音声記憶制御部６３と、提示制御部６６と、送信制御部６７とを有する。受信情報出力制御部６２は、放送データ解析機能６２１、音声出力制御機能６２２、画像出力制御機能６２３を有する。また、送信制御部６７は、ラジオネーム保持部６７１を有する。これら制御手段６が備える機能は第１実施形態の対応制御部と共通する。ただし、本実施形態は放送局側で背景音とボイスメール（音声メール）の重畳を行うため、デジタル放送受信装置１１０側の制御手段６は、第１実施形態が備える背景音決定部６４に相当する制御部を備えていない。
【００４１】
本実施形態の音声メール作成手段４は、音声入力手段２を介して入力されたユーザの音声を圧縮して添付した音声メールを作成する。音声メールには放送局側から提示されたアンケートに対する回答若しくは当該回答の内容を示すコード、又は当該回答の内容に予め対応づけられた背景音を特定する識別子を付記してもよい。本実施形態では、サーバ側において背景音をユーザの音声に重畳させた音声メールファイルを作成するため、音声メール作成手段４は、背景音をユーザの音声に重畳させる処理は行わない。
【００４２】
受信装置側の音声メール作成手段４は、圧縮部４４を有する。圧縮部４４は、背景音重畳部４３により背景音と音声とが重畳された音声メールをＭＰ３等の圧縮技術を用いて圧縮する。圧縮方法は特に限定されずMP3のほか、WMA（Windows Media Audio）などの通常の圧縮手法を用いることができる。圧縮部４４は、圧縮した音声メールを圧縮音声蓄積手段１０へ送出する。圧縮音声蓄積手段１０は、少なくとも音声メールが送信手段８によって送信されるまで記憶する。
【００４３】
本実施形態の送信手段８は、第１実施形態の送信手段と共通の機能を有し、音声メール作成手段４により作成された音声メールを音声メール収集センター３００に送信する。送信の手法は特に限定されず、携帯電話、無線LAN、DSRC（Dedicated Short Range Communications）などの無線通信機器を用いることができる。
【００４４】
図１０は第２実施形態のデジタル放送受信装置１１０側の制御手順を示すフローチャート図である。
【００４５】
デジタル放送チューナー部１１がデジタル放送波を受信すると、デジタルラジオデコード部１２は、受信したデジタル放送信号のデコードを開始する。
【００４６】
デコードされた放送信号の中に、アンケートフォーム、音声メール要求フォームなどのリクエストフォームが含まれている場合、これらをダウンロードして取得する（１００１）。
【００４７】
制御手段６の提示制御部６６は、取得したアンケートフォームを提示手段７のディスプレイ７２に提示させる（１００２）。ディスプレイ７２に提示されたアンケートフォーム（リクエストフォーム）を見たユーザは、アンケートに対して回答する。アンケートの提示態様は特に限定されず、図６に示した第１実施形態と共通するものでよい。ユーザがアンケートに回答した場合（１００３でＹ）であって、ユーザがアンケートへの回答を放送局側へ送信する旨の入力を行うと、ラジオネーム保持部６７１は、保持するラジオネームをアンケートの回答に付加する。送信制御手段６７はラジオネームが付加されたアンケートの回答を音声メール収集センター３００へ送出する（１００４）。アンケートに付加されたラジオネームは、サーバ側で背景音を重畳する際のID（識別子）として利用される。
【００４８】
その後、制御手段６の提示制御部６６は、１００１で取得した音声メール要求フォームを提示手段７のディスプレイ７２に提示させる（１００５）。ディスプレイ７２に提示された音声メール要求フォーム（リクエストフォーム）を見たユーザは、音声メールの作成を行う。音声メールを要求する提示態様は特に限定されず、図７に示した第１実施形態と共通するものでよい。
【００４９】
ユーザが入力操作部５からボイスメールの入力を行うと（１００６）、音声記憶制御部６３は、音声記憶手段３に音声を録音させる（１００７）。ユーザが発話を終了し、入力操作部５から録音終了の指令を入力した場合（１００８でＹ）、または、録音開始から所定時間が経過した場合（１００９）、音声記憶制御部６３は、音声記憶手段３に録音終了を指示し、録音を終了させる（１０１０）。圧縮部４４は作成された音声メールをＭＰ３などの形式に圧縮する（１０１１）。ラジオネーム保持部６７１は、圧縮された音声メールにラジオネームを付加する。ラジオネームが負荷された音声メールは送信制御部６７の制御に従い、送信手段８により音声メール収集センター３００に向けて送出される（１０１２）。
【００５０】
続いて、放送局側の放送配信用サーバ２１０について説明する。
【００５１】
図１１は、本実施形態の放送配信用サーバ２１０の構成を示すブロック図である。
【００５２】
図１１に示すように、本実施形態の放送配信用サーバ２１０は、入力情報取得２０１と、音声記憶手段２０２と、背景音決定手段２０３と、音声メール作成手段２０４と、背景音取得手段２０５と、音声メール蓄積手段２０６とを有している。
【００５３】
入力情報取得部２０１は、アンケート回答受信部２０１１と、音声受信部２０１２とを有し、デジタルラジオ受信装置１００側にて入力された情報を取得する。情報は、音声メール収集センター３００を介して取得してもよいし、ユーザ側のデジタル放送受信装置１１０から直接取得してもよい。アンケート回答受信部２０１１は、ユーザに提示されたアンケートに対してユーザが入力した回答を取得する。音声受信部２０１２は、ユーザに提示された音声メール要求に対してユーザが入力した音声を取得する。
【００５４】
音声記憶手段２０２は、音声受信部２０１１により取得された音声を少なくとも一時的に記憶する。
【００５５】
背景音取得手段２０５は、ユーザの音声に重畳させる背景音が記憶されている。背景音は、バックグランドミュージック（ＢＧＭ）、効果音、擬似音その他の音のデータである。
【００５６】
背景音決定手段２０３は、提示手段７が提示したリクエスト情報に対してユーザが入力操作手段５に入力した入力情報に基づいて、背景音取得手段９に記憶された背景音の中からユーザの音声に重畳させる背景音を決定する。特に限定されないが、本実施形態の背景音決定部２０３は、アンケート解析部２０３１と、対応情報参照部２０３２とを有する。アンケート解析部２０３１は、ユーザ側から送出され、入力情報取得手段２０１が取得したユーザの入力情報を解析する。アンケート解析部２０３はユーザの入力情報の内容がアンケートに対してＹｅｓであるかＮｏであるのか、又はアンケートに対する選択肢のうちいずれの選択肢が選択されたかを解析する。対応情報参照部２０３２は、提示手段７が提示するリクエスト情報に対して入力されるユーザ側の入力情報（アンケートへの回答内容）と背景音とを予め対応づけた対応情報を参照する。本実施形態の背景音決定部２０３は、対応情報参照部２０３２が参照した対応情報と、入力情報取得手段２０１により取得した入力情報に基づいて、背景音取得手段２０５に記憶された背景音の中からユーザの音声に重畳させる背景音を決定する。
【００５７】
音声メール作成手段２０４は、背景音決定手段２０３により決定された背景音を音声記憶手段２０２に記憶されたユーザの音声に重畳させた音声メールを作成する。本実施形態の音声メール作成手段２０４は、背景音取得部２０４１と、背景音編集部２０４２と、背景音重畳部２０４３とを備える。
【００５８】
背景音取得部２０４１は、音声記憶手段２０２に記憶されたユーザの発話音声を取得する。背景音編集部２０４２は、背景音を編集する。本実施形態の背景音編集部２０４２は、背景音決定手段２０３により決定された背景音の再生時間が録音されたユーザの発話音声の再生時間よりも短い場合、背景音の再生時間が録音された音声の再生時間と略等しくなるように背景音を繰り返す編集を行う。これにより音声の途中で背景音が途切れたりすることを防止することができる。また、背景音編集部２０４２は、録音された音声の再生終了のタイミングで記背景音の音量が減衰するように当該背景音を編集する。これにより、音声の再生が背景音の途中で終了してしまう場合でも、違和感なく背景音と音声の両方を終了させることができる。背景音重畳部２０４２は、背景音決定手段２０３が決定し、背景音取得手段２０５に記憶されている背景音又は背景音編集部２０４２により編集された背景音を、記憶されたユーザの音声に重畳させる。つまり、背景音重畳部２０４３は、決定された背景音と音声とをミキシングする。ユーザの入力に応じて決定された背景音とユーザの音声との対応づけは、ユーザの入力情報に付加されたラジオネーム（ユーザ識別子）に基づいて判断する。
【００５９】
背景音を音声に重畳させた音声メールは音声メール蓄積手段２０６に蓄積され、必要に応じて番組のコンテンツとして利用される。
【００６０】
図１３に基づいて、本実施形態のデジタル放送用サーバの制御手順を説明する。
【００６１】
入力情報取得手段２０１がユーザ側からアンケートの回答を受信すると（１１００）、受信したアンケートの回答を背景音決定手段２０３へ送出する。背景音決定手段２０３のアンケート解析部２０３１は、アンケートの回答の内容（たとえば、回答のＹｅｓ/Ｎｏ、回答が属するカテゴリ、回答の選択肢）を解析する。対応情報参照部２０３は、提示するリクエスト情報に対するユーザ側の入力情報（アンケートへの回答内容）と背景音とを予め対応づけた対応情報を参照する。背景音決定手段２０３は、対応情報と入力情報とに基づいて、背景音を決定する（１１０２）。
【００６２】
入力情報取得手段２０１がユーザからの音声メール（録音された音声）を取得すると（１１０３でＹ）、音声メール作成手段２０４の背景音重畳部（２０４３）は、１１０２で決定された背景音を背景音記憶手段２０５から抽出し、抽出した背景音を音声メールに重畳する（ミキシングする）（１１０４）。重畳処理よりも前に背景音編集部２０４２は背景音の長さが録音された音声の長さが略等しくなるように背景音を編集してもよいし、録音された音声の終端部で背景音の音量が減衰するように背景音を編集してもよい。
【００６３】
背景音が重畳された音声メールは、音声メール蓄積手段２０６に蓄積される（１１０５）。
【００６４】
放送局２００は、音声メール蓄積手段２０６にアクセスし、蓄積された音声メールを取得し、コンテンツとして番組内で紹介する。
【００６５】
第２実施形態のデジタル放送受信装置によれば、ユーザは、放送局側へ伝達する意思(アンケートの回答など)と、ユーザの発話音声を添付した音声メールを放送局側に送出するという簡単な操作で、ユーザの意思に応じて決定された背景音をメッセージ音声に重畳させた娯楽性の高い音声メールを放送局側に投稿することができる。たとえば、運転中等であっても視聴中のラジオ番組等に背景音を音声に重畳させた個性的な音声メールを自己の名前で投稿又は投票したと同じ結果を得ることができ、放送番組へ参加することができる。他方、放送局側は、作成した音声メールを利用して娯楽性の高い放送番組をプロデュースすることができる。
【００６６】
また、放送局側で背景音と音声の重畳を行い、音声メールを作成するので、ユーザの端末（第１実施形態のデジタル放送受信装置）の処理負担を軽減しつつ、第１実施形態と同様の作用及び効果を奏することができる。
【００６７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００６８】
【図１】本実施形態のデジタル放送送受信システムの概要図である。
【図２】第１実施形態のデジタル放送受信装置のブロック構成図である。
【図３】第１実施形態の制御手段のブロック構成図である。
【図４】第１実施形態の音声メール作成手段のブロック構成図である。
【図５】第１実施形態のデジタル放送受信時の音声メール作成処理にかかる制御手順を示すフローチャート図である。
【図６】アンケートフォームの提示例を示す図である。
【図７】音声メールリクエストフォームの提示例を示す図である。
【図８】第２実施形態のデジタル放送受信装置のブロック構成図である。
【図９】第２実施形態の制御手段のブロック構成図である。
【図１０】第２実施形態のデジタルラジオ受信時の音声メール作成処理にかかる制御手順を示すフローチャート図である。
【図１１】第２実施形態のサーバのブロック構成図である。
【図１２】第２実施形態のサーバ側の音声メール作成処理にかかる制御手順を示すフローチャート図である。
【符号の説明】
【００６９】
１００，１１０…デジタル放送受信装置
１…受信手段
２…音声入力手段
３…音声記憶手段
４…音声メール作成手段
５…入力操作手段
６…制御手段
６１…操作制御部
６２…受信情報出力制御部
６３…音声記憶制御部
６４…背景音決定部
６６…提示制御機能
６７…送信制御部
７…提示手段
８…送信手段
９…背景音取得手段
１０…圧縮音声蓄積手段
２００…デジタルラジオ放送局
２１０…デジタル放送配信用サーバ
２０１…入力情報取得手段
２０２…音声記憶手段
２０３…背景音決定手段
２０４…音声メール作成手段
２０５…背景音取得手段
２０６…音声メール蓄積手段
３００…音声メール収集センター
【図１】
2007288507.tif 000003
【図２】
2007288507.tif 000004
【図３】
2007288507.tif 000005
【図４】
2007288507.tif 000006
【図５】
2007288507.tif 000007
【図６】
2007288507.tif 000008
【図７】
2007288507.tif 000009
【図８】
2007288507.tif 000010
【図９】
2007288507.tif 000011
【図１０】
2007288507.tif 000012
【図１１】
2007288507.tif 000013
【図１２】
2007288507.tif 000014